Podtech/llm-jp-corpus-v4-ja_patent huggingface dataset:
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
金属材料から形成され、第１の打球面、前記第１の面とは反対側にある第２の背面、延長部材、およびフランジを含み、前記フランジが、前記延長部材を介して前記第２の面から分離されているとともに前記第１の面の一部に対して約３０度以内で平行である、クラブ・フェースと、
充填された、または無充填のポリマー材料から形成され、クラウン、ソール、ホーゼル、およびフェース・サポートを含むボディと、を備え、
前記クラブ・フェースおよび前記ボディは、協働して閉じた容積を画定し、
前記フランジは、前記フェース・サポートが前記フランジに接触してそれを囲み、前記クラブ・フェースを前記ボディに結合するように、前記フェース・サポート内に埋め込まれる、ゴルフ・クラブ・ヘッド。
【請求項２】
前記延長部材は、前記ゴルフ・クラブ・ヘッドの外面を形成する、請求項１に記載のゴルフ・クラブ・ヘッド。
【請求項３】
前記フランジは、対向する側部間を伸びる複数の穴を画定し、
前記フェース・サポートの一部は、前記複数の穴のそれぞれの中に配置されている、請求項１又は２に記載のゴルフ・クラブ・ヘッド。
【請求項４】
前記フェース・サポートは、前記クラブ・フェースの前記第２の面に接触する、請求項１〜３のいずれか一項に記載のゴルフ・クラブ・ヘッド。
【請求項５】
前記ボディは、前記ポリマー材料内に取り込まれた金属ウェイトを含む、請求項１〜４のいずれか一項に記載のゴルフ・クラブ・ヘッド。
【請求項６】
前記金属ウェイトは、前記クラウンと前記ソールの間に前記ゴルフ・クラブ・ヘッドの周辺に隣接して配置される、請求項５に記載のゴルフ・クラブ・ヘッド。
【請求項７】
前記ホーゼルは、前記フェース・サポートと一体に形成される、請求項１〜６のいずれか一項に記載のゴルフ・クラブ・ヘッド。
【請求項８】
前記ホーゼルおよびフェース・サポートは、前記ボディの前方部分として一体に形成され、
前記ゴルフ・クラブ・ヘッドは、前記クラウンと前記ソールの間に、前記クラウンと前記前方部分の間に、かつ前記ソールと前記前方部分の間に配置される継ぎ目をさらに備える、請求項７に記載のゴルフ・クラブ・ヘッド。
【請求項９】
前記継ぎ目は、接着剤または接合工程の少なくとも一方により結合されるポリマー材料の少なくとも２つの層を含む、請求項８に記載のゴルフ・クラブ・ヘッド。
【請求項１０】
前記ボディは、前記クラウンと前記ソールの双方と前記フェース・サポートの間に、変化する壁厚さを有する、請求項１〜９のいずれか一項に記載のゴルフ・クラブ・ヘッド。
【請求項１１】
金属材料から形成され、第１の打球面、前記第１の面とは反対側にある第２の背面、および延長部材を介して前記第２の面から分離されているとともに前記第１の面の一部に対して約３０度以内で平行であるフランジを含む、クラブ・フェースを提供するステップと、
充填された、または無充填のポリマー材料から、ボディを成形するステップであって、前記ボディは、クラウン、ソール、ホーゼル、およびフェース・サポートを含む、ボディを成形するステップと、を備え、
前記成形するステップは、溶融したポリマーを前記フランジ周りの接触し囲む構成に流し込むことにより、前記フェース・サポート内に前記フランジを埋め込むステップを含み、
前記クラブ・フェースおよび前記ボディは、協働して閉じた容積を画定する、ゴルフ・クラブ・ヘッドを製造する方法。
【請求項１２】
前記延長部材は、前記ゴルフ・クラブ・ヘッドの外面を形成する、請求項１１に記載の方法。
【請求項１３】
前記フランジは、対向する側部間を伸びる複数の穴を画定し、
前記ボディを成形する前記ステップは、前記複数の穴のそれぞれの中に前記フェース・サポートの一部を形成することを含む、請求項１１又は１２に記載の方法。
【請求項１４】
前記ボディを成形する前記ステップは、前記ポリマー材料内に金属ウェイトを取り込むステップを含む、請求項１１〜１３のいずれか一項に記載の方法。
【請求項１５】
前記ボディを成形する前記ステップは、前記ホーゼルを前記フェース・サポートと一体に成形するステップを含む、請求項１１〜１４のいずれか一項に記載の方法。
【請求項１６】
金属材料から形成され、第１の打球面、前記第１の面とは反対側にある第２の背面、および前記第２の面から分離されているフランジを含む、クラブ・フェースと、
充填された、または無充填のポリマー材料から形成され、クラウン、ソール、ホーゼル、およびフェース・サポートを含むボディと、を備え、
前記フェース・サポートは、前記フランジの対向する側部間を伸びるとともに前記クラブ・フェースを前記ボディに結合するように成形されており、
前記クラブ・フェースの前記打球面は、側壁部分を介して前記フランジに結合しており、
前記側壁部分は、ゴルフ・クラブ・ヘッドの外面を形成する、ゴルフ・クラブ・ヘッド。
【請求項１７】
前記フランジは、前記対向する側部間を伸びる複数の穴を画定し、
前記フェース・サポートの一部が、前記複数の穴のそれぞれの中に配置される、請求項１６に記載のゴルフ・クラブ・ヘッド。
【請求項１８】
前記ボディは、前記ポリマー材料内に取り込まれた金属ウェイトを含む、請求項１６又は１７に記載のゴルフ・クラブ・ヘッド。
【請求項１９】
前記金属ウェイトは、前記クラウンと前記ソールの間に前記ゴルフ・クラブ・ヘッドの周辺に隣接して配置される、請求項１８に記載のゴルフ・クラブ・ヘッド。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
医療のデバイスであって、
ホストに流体を導入するかつ／又は前記ホストから流体を除去するように操作可能な流体通路を含む埋め込み型のアクセスポートであって、前記流体通路は流体通路アクセス開口を通してアクセス可能である、前記埋め込み型のアクセスポートと、
前記ホストを貫通するように構成された針であって、前記流体通路の少なくとも一部分は、前記針によって画定され、
前記アクセスポートに接続可能で、且つ近位端部分及び遠位端部分を有する埋め込み型のカテーテルとを備え、
前記カテーテルは、前記アクセスポート内の接続によって前記アクセスポートに接続可能であり、
前記針によって画定される前記流体通路の前記一部分は、前記針の管腔によって画定され、
前記カテーテルは、前記流体通路アクセス開口を通じて、前記針の管腔を含む前記アクセスポートの前記流体通路に挿入可能であり、
前記カテーテルは、前記カテーテルの前記遠位端部分が前記アクセスポートから延び前記カテーテルの前記近位端部分が前記アクセスポート内に位置するように、前記流体通路を通じて前進可能である、デバイス。
【請求項２】
前記カテーテルは、前記流体通路アクセス開口を通して前記アクセスポートの前記流体通路から除去可能である、請求項１に記載のデバイス。
【請求項３】
前記カテーテルは、前記流体通路アクセス開口を通して前記針の前記管腔から除去可能である、請求項１に記載のデバイス。
【請求項４】
前記カテーテルは、機械的接続によって前記アクセスポートに接続可能である、請求項１に記載のデバイス。
【請求項５】
前記機械的接続は、摩擦ばめ接続及びポジティブ機械的係合接続の少なくとも一方を備える、請求項４に記載のデバイス。
【請求項６】
前記ポジティブ機械的係合接続は、前記カテーテルの近位端部分及び前記アクセスポートの一部分によって形成されているオーバラップ接続を備える、請求項５に記載のデバイス。
【請求項７】
前記オーバラップ接続は、前記アクセスポートの肩部にオーバラップする前記カテーテルのフランジによって形成されている、請求項６に記載のデバイス。
【請求項８】
前記摩擦ばめ接続は、前記カテーテルの近位端部分及び前記アクセスポートの一部分によって形成されているプレスばめ接続を備える、請求項５に記載のデバイス。
【請求項９】
前記アクセスポートは、カテーテル出口開口を含み、
前記プレスばめ接続は、前記アクセスポートの前記カテーテル出口開口内に位置付けられると、前記カテーテル出口開口の側壁に対して変形する前記カテーテルの少なくとも１つの弾性変形可能保持要素によって形成されている、請求項８に記載のデバイス。
【請求項１０】
前記カテーテルは、前記流体通路アクセス開口を通して前記アクセスポートの前記流体通路内に挿入可能である、管状本体及び近位端部分を備え、
前記カテーテルの前記管状本体及び前記近位端部分が前記アクセスポートの前記流体通路内に挿入されると、前記カテーテルの前記管状本体は前記アクセスポートのカテーテル出口開口から伸長し、一方、機械的干渉は、前記カテーテルの前記近位端部分が、前記アクセスポートを通過すること、及び、前記カテーテル出口開口を通して前記アクセスポートから除去されることを阻止する、請求項１に記載のデバイス。
【請求項１１】
前記アクセスポートの前記流体通路は流体通路径を有し、前記アクセスポートの前記カテーテル出口開口はカテーテル出口開口径を有し、
前記カテーテルの前記近位端部分は、前記流体通路径より小さくかつ前記カテーテル出口開口径より大きい径を有し、
前記カテーテルの前記近位端部分が、前記アクセスポートを通過すること、及び、前記カテーテル出口開口を通して前記アクセスポートから除去されることを防止する前記機械的干渉は、前記カテーテル出口開口径より大きい径を有する前記カテーテルの前記近位端部分によって形成される、請求項１０に記載のデバイス。
【請求項１２】
前記アクセスポートはハウジングを含み、
前記接続は前記ハウジングによって形成されている、請求項１に記載のデバイス。
【請求項１３】
前記アクセスポートはハウジングを含み、
前記ハウジングはカテーテル出口開口を含み、
前記接続は、前記カテーテル出口開口の少なくとも一部分を画定する前記ハウジングの一部分よって形成される、請求項１に記載のデバイス。
【請求項１４】
前記アクセスポートはハウジングを含み、
前記ハウジングはカテーテル出口開口を含み、
前記ハウジングは前記ハウジングの壁から外方に延在するステムを含み、
前記カテーテルアクセス開口は前記ステム内に設けられている、請求項１に記載のデバイス。
【請求項１５】
前記アクセスポートはハウジングを含み、
前記ハウジングはカテーテル出口開口を含み、
前記ハウジングは、前記ハウジングの壁に接続されるカテーテル保持部材を含み、
前記カテーテルアクセス開口は前記カテーテル保持部材内に設けられる、請求項１に記載のデバイス。
【請求項１６】
前記カテーテル保持部材は、前記ハウジングの前記壁から取外し不可能である、請求項１５に記載のデバイス。
【請求項１７】
前記カテーテル保持部材は、前記ハウジングの少なくとも１つのネジ山にネジ式に係合する少なくとも１つのネジ山を備える、請求項１５に記載のデバイス。
【請求項１８】
前記カテーテルは、前記アクセスポートの前記流体通路内で前記アクセスポートに接続可能である、請求項１に記載のデバイス。
【請求項１９】
前記アクセスポートの前記流体通路アクセス開口及び前記流体通路を通して前記アクセスポート内に前記カテーテルを挿入するように構成されるカテーテル挿入ツールを更に備える、請求項１に記載のデバイス。
【請求項２０】
前記カテーテル挿入ツールは、前記カテーテルと前記アクセスポートとの間の機械的接続を係合するように更に構成される、請求項１９に記載のデバイス。
【請求項２１】
前記カテーテル挿入ツールは、ガイドワイヤと共に操作するように構成される、請求項１９に記載のデバイス。
【請求項２２】
前記アクセスポートの前記流体通路アクセス開口及び前記流体通路を通して前記アクセスポートから前記カテーテルを除去するように構成されるカテーテル除去ツールを更に備える、請求項１に記載のデバイス。
【請求項２３】
前記カテーテル除去ツールは、前記カテーテルと前記アクセスポートとの間の機械的接続を解くように更に構成される、請求項２２に記載のデバイス。
【請求項２４】
前記カテーテル除去ツールは、ガイドワイヤと共に操作するように構成される、請求項２２に記載のデバイス。
【請求項２５】
前記カテーテル除去ツールは、前記カテーテルの近位端部分と機械的に接続するように構成される遠位端先端を備える、請求項２２に記載のデバイス。
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
眼用治療のためのコンタクトレンズであって：
帯電した治療用組成物を含む容器；
イオントフォレシス電流を前記帯電した治療用組成物に提供して、眼球中への前記帯電した治療用組成物の送達に影響を与える電流源；
前記電流源を制御して、前記帯電した治療用組成物の選択されたｐＨ範囲を維持する検出回路；および
前記容器の周縁部に配置され、対応する容器中の前記帯電した組成物のものと同一の極性を有する、極性選択バリア領域；
を含む、コンタクトレンズ。
【請求項２】
前記容器内で前記帯電した治療用組成物の選択されたｐＨ範囲を維持するように適合されたバッファ層；
前記容器およびバッファ層の少なくとも１つに前記イオントフォレシス電流を分布させるように適合された第１の導電層；および
前記電流源を含む第１の導電層および前記第１の導電層より高い抵抗率を有する第２の導電層であって、前記第２の導電層は、前記容器およびバッファ層の少なくとも１つに均一に電流を分布させるように適合されている、第１の導電層および第２の導電層；
の構成要素の少なくとも１つをさらに含む、請求項１に記載のコンタクトレンズ。
【請求項３】
前記容器および層構成要素が環状に搭載された中心部分をさらに含む、請求項２に記載のコンタクトレンズ。
【請求項４】
前記中心部分は、角膜表面に沿った表面を有する、請求項３に記載のコンタクトレンズ。
【請求項５】
前記帯電した治療用組成物、前記電流源および前記検出回路は、前記中心部分の外側に位置する、請求項３に記載のコンタクトレンズ。
【請求項６】
眼球の表面に沿った表面を有する層を含む、請求項１に記載のコンタクトレンズ。
【請求項７】
前記電流源は、外部電源からエネルギーを受け取り、前記エネルギーを前記イオントフォレシス電流に変換するための電力コンバータを含む、請求項１に記載のコンタクトレンズ。
【請求項８】
眼用治療のためのコンタクトレンズであって：
帯電した治療用組成物を含む容器；
イオントフォレシス電流を前記帯電した治療用組成物に提供して、眼球中への前記帯電した治療用組成物の送達に影響を与える電流源；および
前記電流源を制御して、前記帯電した治療用組成物の選択されたｐＨ範囲を維持する検出回路；
を含み、
前記検出回路は：
前記帯電した治療用組成物のｐＨレベルを検出するように構成されたｐＨセンサ；
検出された前記ｐＨレベルが選択されたｐＨ範囲外である場合に、前記イオントフォレシス電流を変化させるように構成された電流源コントローラ、および
前記容器の周縁部に配置され、対応する容器中の前記帯電した組成物のものと同一の極性を有する、極性選択バリア領域、
を含む、コンタクトレンズ。
【請求項９】
前記電流源が外部電源から無線で受け取った電力を変換するように構成されたコンバータを含む、請求項１に記載のコンタクトレンズ。
【請求項１０】
前記電流源が、エネルギー貯蔵構成要素およびエネルギーハーベスト回路の少なくとも１つを含む、請求項１に記載のコンタクトレンズ。
【請求項１１】
眼用治療のためのコンタクトレンズであって：
帯電した治療用化合物を含むように適合された容器；
前記帯電した治療用化合物と接触した犠牲要素を有する犠牲電極であって、前記犠牲電極は、前記犠牲要素を消費することを通して前記帯電した治療用化合物と同一の電荷極性を有するイオンを生成するように適合された犠牲電極；
イオントフォレシス電圧を前記犠牲電極に提供して、眼球中への前記帯電した治療用化合物の送達を生じる起電力に影響を与える電圧源；および
前記電圧源を制御して、前記帯電した治療用化合物の送達を調整する検出回路、
を含む、コンタクトレンズ。
【請求項１２】
前記検出回路は、
前記犠牲電極の導電性を検出するように構成されたセンサ；および
検出された前記犠牲電極の導電性が選択された範囲外である場合に、前記イオントフォレシス電圧を変化させるように構成された電圧源コントローラ、
を含む、請求項１１に記載のコンタクトレンズ。
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
キトサン、キチン、キトサン誘導体、キチン誘導体、及びこれらの任意の組み合わせからなる群から選択された第１の成分と、少なくとも１種の三塩基酸と、少なくとも１種の可溶化酸とを含む組成物。
【請求項２】
前記第１の成分は非抗菌である請求項１に記載の組成物。
【請求項３】
前記少なくとも１種の三塩基酸に対する前記第１の成分の比率は少なくとも２：１であり、及び／または前記少なくとも１種の可溶化酸に対する前記少なくとも１種の三塩基酸の比率は少なくとも１：１である請求項１または２に記載の組成物。
【請求項４】
前記第１の成分は、キトサンであり、及び／または前記三塩基酸はクエン酸である請求項１乃至３のいずれか１項に記載の組成物。
【請求項５】
前記第１の成分は、７０％を超える脱アセチル化度を有し、及び／または前記第１の成分は、１％酢酸溶液中で１５０ｃｐｓを超える粘度を有する請求項４に記載の組成物。
【請求項６】
前記第１の成分は、繊維、顆粒、フレーク、粉末、シートまたはこれらの組み合わせの形態である請求項１乃至５のいずれか１項に記載の組成物。
【請求項７】
前記三塩基酸は、前記第１の成分の約２から７５％の量が存在する請求項１乃至６のいずれか１項に記載の組成物。
【請求項８】
前記三塩基酸は、前記第１の成分の約２５から６０％の量が存在する請求項７に記載の組成物。
【請求項９】
前記組成物は固体である請求項１乃至８のいずれか１項に記載の組成物。
【請求項１０】
前記固体の組成物は、顆粒、フレーク、繊維、粉末、不織布地または編織物の形態である請求項９に記載の組成物。
【請求項１１】
前記可溶化酸は一塩基酸である請求項１乃至１０のいずれか１項に記載の組成物。
【請求項１２】
前記一塩基酸は、乳酸、ギ酸、酢酸、塩酸、コハク酸及びこれらの混合からなる群から選択される請求項１１に記載の組成物。
【請求項１３】
前記三塩基酸及び前記可溶化酸は、前記第１の成分の上に被覆されており、及び／または前記三塩基酸及び／または前記可溶化酸は、担体材料の上に被覆されている請求項１乃至１２のいずれか１項に記載の組成物。
【請求項１４】
前記可溶化酸は、前記第１の成分の２から５０％の量が存在する請求項１乃至１３のいずれか１項に記載の組成物。
【請求項１５】
前記可溶化酸は、前記第１の成分の１５から２０％の量が存在する請求項１４に記載の組成物。
【請求項１６】
抗菌剤、医薬品、キレート剤、湿潤剤、成長因子、サイトカイン、ＭＭＰ（マトリックスメタロプロテアーゼ）及びエラスターゼのような治癒を遅延させる物質を吸収する薬剤、カルシウム、ビタミンＫ、フィブリノゲン、トロンビン、第VII因子、第VIII因子、粘土、酸化再生セルロース、ゼラチン及びコラーゲンからなる群から選択された付加的な成分をさらに含む請求項１乃至１５のいずれか１項に記載の組成物。
【請求項１７】
請求項１乃至１６のいずれか１項に記載の組成物を含む創傷被覆材。
【請求項１８】
治療薬として使用する請求項１乃至１６のいずれか１項に記載の組成物。
【請求項１９】
創傷の治療に使用する、またはバイオフィルムにおけるバクテリアの破壊と殺しに使用する、またはバイオフィルムの形成の防止に使用する請求項１乃至１６のいずれか１項に記載の組成物。
【請求項２０】
キトサン、キチン、キトサン誘導体、キチン誘導体、及びこれらの組み合わせからなる群から選択された第１の成分と、少なくとも１種の三塩基酸と、少なくとも１種の可溶化酸とを含む組成物の製造方法であって、
ａ．前記第１の成分の少なくとも一部分を、前記少なくとも１種の三塩基酸と前記少なくとも１種の可溶化酸とを含む混合物で被覆する工程、及び／または
ｂ．前記第１の成分の少なくとも一部分に、前記少なくとも１種の三塩基酸と前記少なくとも１種の可溶化酸とを含む混合物を吸収させる工程、
とを含む方法。
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
椎間関節を治療するためのインプラントであって、
アクセス面および骨対向面を有する固定プレートと、
前記椎間関節に挿入されるように構成されたスペーサと、
前記スペーサと前記固定プレートの骨対向面との間の少なくとも１つのヒンジと、
を備える、インプラント。
【請求項２】
前記スペーサが、ディスクである、請求項１に記載のインプラント。
【請求項３】
前記固定プレートが、複数の穴を有する、請求項１に記載のインプラント。
【請求項４】
前記スペーサが、複数の穴を有する、請求項１に記載のインプラント。
【請求項５】
前記複数の穴のうちの少なくとも１つが、移植片材料を含む、請求項４に記載のインプラント。
【請求項６】
前記少なくとも１つのヒンジが、前記スペーサと前記固定プレートとの間の枢動式の関節および運動を提供する、請求項１に記載のインプラント。
【請求項７】
前記固定プレートが、通過する固定デバイスを受け入れるように構成された少なくとも１つの穴を含む上側部分を含む、請求項１に記載のインプラント。
【請求項８】
前記固定プレートが、通過する固定デバイスを受け入れるように構成された少なくも１つの穴を含む下側部分を含む、請求項７に記載のインプラント。
【請求項９】
前記少なくとも１つのヒンジが、ヒンジの対を備える、請求項１に記載のインプラント。
【請求項１０】
前記インプラントが、前記固定プレートが前記スペーサの下面に対してほぼ平行である低プロファイル構成を含む、請求項１に記載のインプラント。
【請求項１１】
前記固定プレートが、前記スペーサの上面に対してほぼ垂直である第２の構成になるまで回転するように構成された、請求項１０に記載のインプラント。
【請求項１２】
前記スペーサが、通過する固定デバイスを受け入れるように構成された少なくとも１つの穴を含む、請求項１に記載のインプラント。
【請求項１３】
前記固定プレートが、上関節突起に固定されるように構成され、かつ、前記スペーサ内の少なくとも１つの穴が、下関節突起に固定するための固定デバイスを受け入れるように構成された、請求項１２に記載のインプラント。
【請求項１４】
前記固定プレートが、下関節突起に固定されるように構成され、かつ、前記スペーサ内の少なくとも１つの穴が、上関節突起に固定するための固定デバイスを受け入れるように構成された、請求項１２に記載のインプラント。
【手続補正書】
【提出日】平成31年1月12日(2019.1.12)
【手続補正１】
【補正対象書類名】明細書
【補正対象項目名】０００２
【補正方法】変更
【補正の内容】
【０００２】
各膝関節は、外側半月板と内側半月板の２つの半月板を有している。各半月板は、前角および後角で脛骨に取り付けられる三日月形の線維軟骨組織である。半月板の損傷は疼痛および関節炎を引き起こす。更に、脛骨および大腿骨の支え面上の軟骨も損傷を受ける場合があり、その場合、更なる疼痛および半月板の損傷が生じる。従って、現在は、膝関節軟骨損傷の多くの患者に全膝関節置換術が施されている。あるいは、損傷した軟骨が片方の膝関節に限定されている場合、単顆膝関節置換術が施されてもよく、その場合、膝関節の支え機能の実施のため、大腿骨および脛骨が切削され、両骨に移植片が挿入される。骨表面の１つの軟骨しか損傷を受けていない場合でも、両方の軟骨表面が除去され、人工の支え面で置換される。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２０１２／１２６４９６号
（特許文献２）  欧州特許出願公開第２１４０８３９号明細書
（特許文献３）  米国特許出願公開第２０１４／１４２７１３号明細書
（特許文献４）  米国特許出願公開第２００８／２４３２５９号明細書
（特許文献５）  米国特許出願公開第２００４／００６３９４号明細書
（特許文献６）  国際公開第２０１０／００４３４２号
（特許文献７）  米国特許出願公開第２００８／２４３２６０号明細書
（特許文献８）  米国特許出願公開第２００３／０５５５００号明細書
（特許文献９）  国際公開第２０１６／１１８７５３号
（特許文献１０）  米国特許出願公開第２０１６／２０６４３５号明細書
（特許文献１１）  欧州特許出願公開第３２４７３１４号明細書
（特許文献１２）  豪州特許出願公開第２０１６／２０９２６７号明細書
（特許文献１３）  米国特許第４，３０９，７７８号明細書
（特許文献１４）  米国特許第４，３４４，１９３号明細書
（特許文献１５）  米国特許第５，８７１，５４２号明細書
（特許文献１６）  米国特許第６，２０６，９２７号明細書
（特許文献１７）  米国特許第６，２６４，６９７号明細書
（特許文献１８）  米国特許第６，９４６，００１号明細書
（特許文献１９）  米国特許第７，２９７，１６１号明細書
（特許文献２０）  米国特許第８，１９２，４９１号明細書
（特許文献２１）  米国特許出願公開第２００４／０００６３９４号明細書
（特許文献２２）  米国特許出願公開第２０１２／０１３６４５２号明細書
（特許文献２３）  米国特許出願公開第２０１２／０２３９１５８号明細書
（特許文献２４）  米国特許出願公開第２０１３／０１０３１５９号明細書
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
患者の血管系を閉塞するよう構成された血管グラフトであって、前記血管グラフトは、  遠位開口部を備えたルーメンを有する吸収性生体適合性繊維管状構造体と、
コア要素とを有し、前記コア要素は、近位端、遠位端および前記コア要素内のルーメンを有し、前記コア要素は、前記吸収性生体適合性繊維管状構造体内に位置決めされるとともに前記吸収性生体適合性繊維管状構造体に取り付けられ、
前記吸収性生体適合性繊維管状構造体が血液に露出されると、前記血管グラフト内に毛管効果が創り出され、その結果、血液が近位側の方向に前記遠位開口部を通って前記血管グラフト内に運ばれ、前記血管グラフト内で血液が凝固する、血管グラフト。
【請求項２】
前記血管グラフトは、非自己拡張型である、請求項１記載の血管グラフト。
【請求項３】
前記コア要素は、コイル状構造を有し、前記血管グラフトは、前記コイル状構造のコイル内に位置決めされた管を更に有する、請求項１または２記載の血管グラフト。
【請求項４】
前記吸収性生体適合性繊維管状構造体は、０．０２７インチ（０．６８６ｍｍ）未満の外径を有する、請求項１〜３のいずれか１項記載の血管グラフト。
【請求項５】
前記吸収性生体適合性繊維管状構造体は、血液と接触状態に置かれると、血液を吸い上げるよう互いに間隔を置いて配置された複数のヤーンを含む、請求項１〜４のいずれか１項記載の血管グラフト。
【請求項６】
前記複数のヤーンは各々、複数の繊維で形成され、前記繊維は、血液と接触状態に置かれると、血液を吸い上げるよう互いに間隔を置いて配置されている、請求項５記載の血管グラフト。
【請求項７】
前記吸収性生体適合性繊維管状構造体は、可撓性を増大させるよう壁の表面に沿って一連の山部と谷部を形成するようクリンプ加工されている、請求項１〜６のいずれか１項記載の血管グラフト。
【請求項８】
前記血管グラフト内に設けられた放射線不透過性要素を更に有する、請求項１〜７のいずれか１項記載の血管グラフト。  
【請求項９】
前記血管グラフトは、送達のための実質的に直線状の形態に動くことができ、そして前記血管系内への配置のための非直線状螺旋形態に戻る、請求項１〜８のいずれか１項記載の血管グラフト。
【請求項１０】
前記コア要素は、放射線不透過性材料で作られていて開放ピッチ螺旋コイルの状態に巻かれる、請求項１〜９のいずれか１項記載の血管グラフト。
【請求項１１】
前記生体適合性繊維管状構造体は、遠位側から近位側の方向に延びる長手方向軸線を有し、前記吸収性生体適合性繊維管状構造体は、前記吸収性生体適合性繊維管状構造体の可撓性を増大させるために前記ヤーンの形状を変更して前記ヤーンによって構成された第１の一連の山部および前記ヤーン相互間に形成された第１の一連の谷部ならびに前記吸収性生体適合性繊維管状構造体内に長手方向に形成された第２の一連の山部および第２の一連の谷部を提供するようクリンプ加工されている、請求項１〜１０のいずれか１項記載の血管グラフト。
【請求項１２】
前記複数のヤーンの各々は、複数のポリマーフィラメントで形成され、前記複数のフィ
ラメント相互間には、第１の毛管効果を作るために血液を吸収するための第１の組をなす
細孔が設けられ、前記複数のヤーン相互間には、第２の毛管効果を創り出すために血液を
吸収するための第２の組をなす細孔が設けられている、請求項１１記載の血管グラフト。
【請求項１３】
前記血管グラフトは、送達要素を受け入れるために該血管グラフトに取り付けられている保持構造体を有し、前記送達要素は、血管系を通して該送達要素によって挿入中に前記血管グラフトを保持するように前記保持構造体と協働する係合構造体を有する、請求項１〜１２のいずれか１項記載の血管グラフト。
【請求項１４】
前記管は、前記コイル状構造の近位端に位置決めされており、デリバリワイヤを受け入れるように寸法決めされている、請求項３記載の血管グラフト。
【請求項１５】
前記コア要素は、長さに沿って前記吸収性生体適合性繊維管状構造体と接触しており、前記吸収性生体適合性繊維管状構造体は、前記管の外面に取り付けられており、かつ、前記管の外面上に載っている、請求項３記載の血管グラフト。
【請求項１６】
前記ポリマー構造体は、編組体を含み、前記編組体は、前記管に取り付けられており、前記管は、送達部材を受け入れるための開口部を有する、請求項１５に記載の血管グラフト。
【請求項１７】
前記吸収性生体適合性繊維管状構造体は、編組体を含み、前記編組体は、不織編組表面を有する、請求項１〜１６のいずれか１項記載の血管グラフト。
【請求項１８】
前記吸収性生体適合性繊維管状構造体は、前記コア要素の近位端および遠位端を覆うように長さに沿って延びている、請求項１〜１７のいずれか１項記載の血管グラフト。
【請求項１９】
前記放射線不透過性要素は、前記コア要素の近位側に間隔を隔てて配置されており、前記吸収性生体適合性繊維管状構造体内で延びている、請求項８記載の血管グラフト。
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
アクセス・ポイントであって
テレビジョン・ホワイト・スペース（ＴＶＷＳ）周波数を使用して伝送するように構成された第１のアンテナと、
ＷＩＦＩ周波数上で指向性伝送するように構成されたアンテナ・アレイと、
１つまたは複数のプロセッサと、を備え、
該１つまたは複数のプロセッサが、
ＴＶＷＳ周波数を使用して第１のメッセージをユーザ・デバイスから受信する工程と、
該ユーザ・デバイスに関連する場所情報を特定する工程と、
該場所情報に基づいてビーム・ステアリング構成を決定する工程と、
該ビーム・ステアリング構成および該アンテナ・アレイを使用して第２のメッセージを該ＷＩＦＩ周波数上で該ユーザ・デバイスに送信する工程と、を行うように構成されたアクセス・ポイント。
【請求項２】
前記場所情報が方向であり、
前記場所情報を特定する工程が、
前記第１のメッセージを２つのアンテナにおいて連続して受信する工程を含む、請求項１に記載のアクセス・ポイント。
【請求項３】
前記１つまたは複数のプロセッサがさらに、前記第２のメッセージを前記ＷＩＦＩ周波数上で送信する前に、ヒステリシス・ウィンドウを超える期間にわたって待機する工程を行うように構成され、
該ヒステリシス・ウィンドウが、１つまたは複数のチップ上および１つまたは複数のアンテナ上での、ＴＶＷＳ機能からＷＩＦＩ機能への遷移に対応する、請求項１に記載のアクセス・ポイント。
【請求項４】
前記場所情報が、ＴＶＷＳデータベースから読み出された位置である、請求項１に記載のアクセス・ポイント。
【請求項５】
全方向性ワイヤレス通信を提供するように構成された第２のアンテナをさらに備え、
該第２のアンテナの範囲が前記第１のアンテナの範囲の約２０パーセントよりも大きい、請求項１に記載のアクセス・ポイント。
【請求項６】
前記アンテナ・アレイの範囲が前記第１のアンテナの範囲の少なくとも９０パーセントである、請求項１に記載のアクセス・ポイント。
【請求項７】
方法がさらに、
アップリンク通信をＴＶＷＳ周波数上のみで前記ユーザ・デバイスから受信する工程と、
前記ビーム・ステアリング構成を使用してダウンリンク通信をＷＩＦＩ周波数上のみで該ユーザ・デバイスに送る工程と、を含む、請求項１に記載のアクセス・ポイント。
【請求項８】
ユーザ通信デバイスであって、
少なくとも１つのプロセッサと、
該少なくとも１つのプロセッサに方法を実行させるように構成された命令を含む少なくとも１つのメモリと、を備え、
該方法が、
ＴＶＷＳ周波数を使用して場所情報をアクセス・ポイントに提供する工程と、
該場所情報に基づいて、ＷＩＦＩ周波数を使用して、ビーム・ステアリングされた通信を受信する工程と、を含む、ユーザ通信デバイス。
【請求項９】
前記ＷＩＦＩ周波数を使用して、ビーム・ステアリングされた通信を提供するように構成されたアレイと、
前記ＴＶＷＳ周波数を使用して通信を提供するように構成された全方向性アンテナと、をさらに備える請求項８に記載のユーザ通信デバイス。
【請求項１０】
前記場所情報が、ジオロケーション・データベースから読み出された位置である、請求項８に記載のユーザ通信デバイス。
【請求項１１】
前記場所情報が、前記ユーザ通信デバイスに関連する一意の識別子からなる、請求項８に記載のユーザ通信デバイス。
【請求項１２】
前記方法がさらに、
アップリンク通信をＴＶＷＳ周波数上のみで前記アクセス・ポイントに送る工程と、
ビーム・ステアリング構成を使用してダウンリンク通信をＷＩＦＩ周波数上のみで該アクセス・ポイントから受信する工程と、を含む、請求項８に記載のユーザ通信デバイス。
【請求項１３】
前記ダウンリンク通信がＣＳＭＡ／ＣＡシグナリングおよびチャネル制御データを含む、請求項１２に記載のユーザ通信デバイス。
【請求項１４】
コンピュータにより実行される方法であって、
ＴＶＷＳ周波数を使用して第１のメッセージをユーザ・デバイスから受信する工程と、
該ユーザ・デバイスに関連する場所情報を特定する工程と、
該場所情報に基づいてビーム・ステアリング構成を決定する工程と、
該ビーム・ステアリング構成を使用して、ＷＩＦＩ周波数を使用して第２のメッセージを該ユーザ・デバイスに送信する工程と、を備える方法。
【請求項１５】
前記場所情報が方向であり、
前記場所情報を特定する工程が、前記第１のメッセージを２つのアンテナにおいて連続して受信する工程を含む、請求項１４に記載の方法。
【請求項１６】
前記第２のメッセージを前記ＷＩＦＩ周波数上で送信する前に、ヒステリシス・ウィンドウを超える期間にわたって待機する工程をさらに備え、
該ヒステリシス・ウィンドウが、１つまたは複数のチップ上および１つまたは複数のアンテナ上での、ＴＶＷＳ機能からＷＩＦＩ機能への遷移に対応する、請求項１４に記載の方法。
【請求項１７】
前記場所情報が、ＴＶＷＳデータベースから読み出された位置である、請求項１４に記載の方法。
【請求項１８】
アップリンク通信をＴＶＷＳ周波数上のみで前記ユーザ・デバイスから受信する工程と、
前記ビーム・ステアリング構成を使用してダウンリンク通信をＷＩＦＩ周波数上のみで該ユーザ・デバイスに送る工程と、をさらに備える請求項１４に記載の方法。
【請求項１９】
前記ビーム・ステアリング構成を使用してＣＳＭＡ／ＣＡシグナリングおよびチャネル制御データを送信する工程をさらに備える請求項１４に記載の方法。
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
燃料電池アセンブリのための排出アセンブリであって、前記燃料電池アセンブリからのガス流を受容するように構成される入口を有するプレナムと、前記ガス流を大気に通気させるように構成される出口と、を備え、前記プレナムが、前記入口と出口との間で前記プレナムを通る前記流れを制御するためのルーバーアセンブリを含み、前記プレナムが、前記ルーバーアセンブリの下流に、前記燃料電池アセンブリのパージガスを前記ガス流の中へその希釈のために導入するように構成されるパージガス入口を含み、前記ルーバーアセンブリが、使用に際して、前記プレナム内の前記パージガス入口の遠位の領域に対して、前記パージガス入口の近位の低圧領域を誘起するように構成される、排出アセンブリ。
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
基板と、
前記基板の上に位置した複数の発光素子パッケージと、
前記基板の上に位置した複数の駆動素子と、
前記基板の上に位置した連結端子部と、を含み、
前記接続端子部は、前記基板の一側と隣接する第１接続端子と、前記基板の他側と隣接する第２接続端子を含み、
前記基板の前記一側と前記第１接続端子との間の間隔は、前記基板の前記一側と隣接した前記発光素子パッケージと前記基板の前記一側との間の間隔以上である、光源モジュール。
【請求項２】
前記複数の発光素子パッケージ、複数の駆動素子、及び連結端子部は、前記基板の同じ面の上に配置された、請求項１に記載の光源モジュール。
【請求項３】
前記基板の上面の上には、前記複数の駆動素子、前記複数の発光素子パッケージ、及び前記連結端子部を電気的に連結する配線パターンを更に含む、請求項１に記載の光源モジュール。
【請求項４】
前記基板の前記他側と前記第２の接続端子との間の間隔は、前記基板の前記他側と隣接する発光素子パッケージと前記基板の前記他側との間の間隔以上である、請求項１に記載の光源モジュール。
【請求項５】
前記基板の前記一側と隣接した発光素子パッケージと前記基板の前記一側との間の間隔は、前記複数の発光素子パッケージの間のピッチの１／２の長さを有する、請求項１に記載の光源モジュール。
【請求項６】
前記基板の背面に配置された配線パターンを更に含む、請求項１に記載の光源モジュール。
【請求項７】
前記基板には、前記配線パターン、前記複数の発光素子パッケージ、前記複数の駆動素子、及び前記連結端子部を電気的に連結するコンタクトホールを更に含む、請求項６に記載の光源モジュール。
【請求項８】
前記複数の発光素子パッケージ及び連結端子部は、前記基板の一面上に配置され、
前記複数の駆動素子は、前記基板の背面に配置された、請求項１に記載の光源モジュール。
【請求項９】
前記基板の上面に前記複数の発光素子パッケージと連結された第１配線パターンと、
前記基板の下面に前記複数の駆動素子と連結された第２配線パターンと、
前記第１及び第２配線パターンを電気的に連結するコンタクトホールと、を更に含む、請求項８に記載の光源モジュール。
【請求項１０】
前記第１及び第２連結端子は、前記基板の横方向と平行な方向に実装された、請求項１に記載の光源モジュール。
【請求項１１】
前記第１及び第２連結端子は、前記基板の縦方向と平行な方向に実装された、請求項１に記載の光源モジュール。
【請求項１２】
前記第１及び第２連結端子は、前記基板の横方向と縦方向との間の方向に傾斜するように実装された、請求項１に記載の光源モジュール。
【請求項１３】
少なくとも一つ以上の光源モジュールと、
前記光源モジュールを収納する下部カバーと、前記下部カバーを覆う上部カバーとを含み、
前記光源モジュールは、
基板と、
前記基板の上に位置した複数の発光素子パッケージと、
前記基板の上に位置した複数の駆動素子と、
前記基板の上に位置した連結端子部と、を含み、
前記接続端子部は、前記基板の一側と隣接する第１接続端子と、前記基板の他側と隣接する第２接続端子を含み、
前記基板の前記一側と前記第１接続端子との間の間隔は、前記基板の前記一側と隣接した前記発光素子パッケージと前記基板の前記一側との間の間隔以上である、照明装置。
【請求項１４】
前記下部カバーは、
内側面から内側方向に突出した第１突起と、
前記第１突起によって形成され、前記上部カバーがスライドタイプで結合される第１係止溝と、
前記下部カバーは、内部底面から一定間隔離隔して内側面から内側方向に突出した第２突起と、
前記底面と前記第２突起との間に形成され、前記光源モジュールがスライドタイプで結合される第２係止溝と、を含み、
前記基板の下部面は、前記下部カバーの底面と直接接触する、請求項１３に記載の照明装置。
【請求項１５】
前記光源モジュールと前記下部カバーとの間には絶縁部材と、前記下部カバーの両側端に前記光源モジュールの両側端を覆うサイドカバーとを含み、
前記サイドカバーは、固定部材が挿入される第１ホールを含み、前記下部カバーの底面には、前記第１ホールと対応する第２ホールを含み、前記光源モジュールの第１及び第２係止溝のそれぞれは、前記第１及び第２ホールと重なった、請求項１３に記載の照明装置。
【請求項１６】
前記光源モジュールを収納する上面が開口したボディ部と、
前記ボディ部の上面を覆う上部カバーと、
前記光源モジュールの上に位置した少なくとも一つ以上の光学レンズと、を含む、請求項１３に記載の照明装置。
【請求項１７】
前記光源モジュールは、第１光源モジュールと第２光源モジュールと、を含み、
前記第１光源モジュールと前記第２光源モジュールを連結する連結部材と、を含む、照明装置。
【請求項１８】
前記第１及び第２光源モジュールは、横方向または縦方向に連結される、請求項１７に記載の照明装置。
【請求項１９】
前記第１光源モジュールは複数個からなり、
前記第２光源モジュールは複数個からなり、
前記第１及び第２光源モジュールは、横方向及び縦方向に相互連結される、請求項１７に記載の照明装置。
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
下記式（Ｉ）を有する化合物３，３，３−トリフルオロ−Ｎ−（（１，４−トランス）−４−（（３−（（Ｓ）−２−メチルモルホリノ）−１Ｈ−ピラゾロ［３，４−ｄ］ピリミジン−６−イル）アミノ）シクロヘキシル）プロパン−１−スルホンアミドまたはその塩：
【化１】
2018502887.tif 000001
【請求項２】
請求項１に記載の式（Ｉ）の化合物またはその薬学的に許容可能な塩。
【請求項３】
下記式（Ｉ）を有する、請求項１に記載の式（Ｉ）の化合物：
【化２】
2018502887.tif 000002
【請求項４】
請求項１〜３のいずれか一項に記載の化合物またはその薬学的に許容可能な塩を、少なくとも１種類の薬学的に許容可能な担体とともに含んでなる、医薬組成物。
【請求項５】
リーシュマニア症の治療または予防に使用するための、請求項４に記載の医薬組成物。
【請求項６】
リーシュマニア症が内臓リーシュマニア症である、請求項５に記載の医薬組成物。
【請求項７】
（ａ）請求項１〜３のいずれか一項に記載の式（Ｉ）の化合物またはその薬学的に許容可能な塩と、（ｂ）少なくとも１種類の付加的治療薬とを含んでなる、組合せ。
【請求項８】
療法における使用のための、請求項１〜３のいずれか一項に記載の化合物またはその薬学的に許容可能な塩。
【請求項９】
リーシュマニア症の治療または予防における使用のための、請求項１〜３のいずれか一項に記載の化合物またはその薬学的に許容可能な塩。
【請求項１０】
リーシュマニア症の治療または予防のための薬剤の製造における、請求項１〜３のいずれか一項に記載の化合物またはその薬学的に許容可能な塩の使用。
【請求項１１】
リーシュマニア症が内臓リーシュマニア症である、請求項９に記載の使用のための化合物。
【請求項１２】
リーシュマニア症が内臓リーシュマニア症である、請求項１０に記載の化合物の使用。
【請求項１３】
下記３，３，３−トリフルオロ−Ｎ−（（１，４−トランス）−４−（（３−（（Ｒ）−２−メチルモルホリノ）−１Ｈ−ピラゾロ［３，４−ｄ］ピリミジン−６−イル）アミノ）シクロヘキシル）プロパン−１−スルホンアミドの化合物またはその塩：
【化３】
2018502887.tif 000003
【請求項１４】
（ａ）請求項１に記載の式（Ｉ）の化合物またはその塩と、（ｂ）３，３，３−トリフルオロ−Ｎ−（（１，４−トランス）−４−（（３−（（Ｒ）−２−メチルモルホリノ）−１Ｈ−ピラゾロ［３，４−ｄ］ピリミジン−６−イル）アミノ）シクロヘキシル）プロパン−１−スルホンアミドである式（Ｉ）の化合物の反対の鏡像異性体またはその塩とを含んでなる、混合物。
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
４０％乃至６３％（重量％）の硫酸を含む硫酸が豊富な水溶液からの硫酸の回収のためのプロセスであって、前記溶液が、有機物の可溶性及び不溶性材料を含んでおり、前記プロセスが、
前記溶液においてカロ酸のその場（ｉｎ  ｓｉｔｕ）形成をし得るために、８０乃至１３０℃の温度で２乃至１０重量％のＨ２Ｏ２で前記硫酸の溶液を処理するステップであって、前記溶液に含まれる前記有機物の可溶性及び不溶性材料が、少なくとも１の不溶性又はガス状の種に変換され、前記有機物の可溶性及び不溶性材料が、ガラクトース、ラムノース、キシロース、マンノース、セルロース、グルコース、ヒドロキシメチルフルフラール、ガラクツロン酸、リグニン、レブリン酸、セルロースエーテル及びセルロースエステルから選択される、ステップと、
酸性の前記溶液から前記不溶性又はガス状の種を除去し又は分離し得るステップと、
を具えており、
実質的に有機物を含まない実質的に濃縮された酸性溶液を生成することを特徴とするプロセス。
【請求項２】
請求項１に記載のプロセスにおいて、
前記硫酸が豊富な水溶液が、５９％乃至６３％（重量％）の硫酸を含むことを特徴とするプロセス。
【請求項３】
請求項１に記載のプロセスにおいて、
硫酸の回収が、ナノ結晶セルロースの生成のプロセスからであることを特徴とするプロセス。
【請求項４】
請求項１に記載のプロセスにおいて、
前記有機物の５０％が、不溶性材料であることを特徴とするプロセス。
【請求項５】
請求項１に記載のプロセスにおいて、
前記溶液が、５重量％のＨ２Ｏ２で処理されることを特徴とするプロセス。
【請求項６】
請求項１に記載のプロセスにおいて、
前記実質的に有機物を含まない実質的に濃縮された酸性溶液が、０．０５乃至９００ｐｐｍの有機物を含むことを特徴とするプロセス。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
以下の式Iの化合物、又はその医薬として許容し得る塩、溶媒和物、若しくは水和物:
【化１】
2018502845.tif 000001
（式中、R1は、CH2CH(CH3)2又はCH2Phであり;且つ
Xは、O、NH、N(C1-6アルキル)、-NHC(=O)CH(CH2CH2NH2)O-、-OC(=O)CH(CH2CH2NH2)NH-、又は後者のNH基で-C(=O)R2に接続している-NHC(=O)CH(CH2CH2NH2)NH-であり、且つ、R3は、NH2、CH2NH2、又はイミダゾリルであるか;或いは、XはNであり、且つR3は、NH又はN(C1-6アルキル)であり、且つ、R3とXはまとまって、基NHCH2CH2N又はN(C1-6アルキル)CH2CH2Nを構成し;且つ、以下の追加の規定があり:
Xが、O、-NHC(=O)CH(CH2CH2NH2)O-、又は-OC(=O)CH(CH2CH2NH2)NH-である場合、R2が、C1-14アルキル、C3-12シクロアルキル、アリール、アリールアルキル、ビアリール、ビアリールアルキル、アリールヘテロアリール、ヘテロアリールアリール、ジヒドロフラン-2(3H)-オン)-3-イル、アリール-ジヒドロフラン-2(3H)-オン)-3-イル、C1-14アルキル-ジヒドロフラン-2(3H)-オン)-3-イル、テトラヒドロ-2H-ピラン-2-オン-3-イル、アリール-テトラヒドロ-2H-ピラン-2-オン-3-イル、C1-14アルキル-テトラヒドロ-2H-ピラン-2-オン-3-イル、NH(C1-14アルキル)、NH(Ar)、NH-(N、S、及びO原子の少なくとも1つを含む5〜6員ヘテロ芳香族基及び残りの原子が炭素である)、OC1-14アルキル、OAr、NH(OC1-14アルキル)、アリール[C(=O)OR4]r、ビアリール[C(=O)OR4]r、アリール[OC(=O)R4]r、ビアリール[OC(=O)R4]r、アリール-OC(=O)NR4R5、ビアリール-OC(=O)NR4R5、又はヘテロアリールアルキルであるか;或いは、R2が、(CR4R5)m(CR6R7)nC(=O)OR8、(CR4R5)m(CR6R7)nOC(=O)R8、(CR4R5)m[N(C1-6アルキル)O]C(=O)OR8、又はL-P(=O)(OR11)(OR12)であり;
Xが、NH、N(C1-6アルキル)、又は後者のNHでC(=O)R2に接続しているNHC(=O)CH(CH2CH2NH2)NH-である場合、R2が、アリール[C(=O)OR4]r、ビアリール[C(=O)OR4]r、アリール[OC(=O)R4]r、ビアリール[-OC(=O)OR4]r、アリール-OC(=O)NR4R5、ビアリール-OC(=O)NR4R5、(CR4R5)m(CR6R7)nC(=O)OR8、(CR4R5)m(CR6R7)nOC(=O)R8、(CR4R5)m[N(C1-6アルキル)O]C(=O)OR8、ジヒドロフラン-2(3H)-オン)-3-イル、アリール-ジヒドロフラン-2(3H)-オン)-3-イル、C1-14アルキル-ジヒドロフラン-2(3H)-オン)-3-イル、テトラヒドロ-2H-ピラン-2-オン-3-イル、アリール-テトラヒドロ-2H-ピラン-2-オン-3-イル、C1-14アルキル-テトラヒドロ-2H-ピラン-2-オン-3-イル、又はL-P(=O)(OR11)(OR12)であり;
R3とXがまとまって、NHCH2CH2N又はN(C1-6アルキル)CH2CH2Nを構成する場合、R2が、Xが、NH、-NHC(=O)CH(CH2CH2NH2)NH-、又は-NHC(=O)CH(CH2CH2NH2)O-である場合に関して上記と同様に定義され;
式中、rは、1又は2であり;
Lは、O、NH、N(C1-6アルキル)、C1-6アルキレン、(CR4R5)m(CR6R7)n(CR9R10)o、CR4=CR6-(CR9R10)o、(CR4R5)m-CR6=CR10、O(CR4R5)m(CR6R7)n(CR9R10)o、NH(CR4R5)m(CR6R7)n(CR9R10)o、N(C1-6アルキル)(CR4R5)m(CR6R7)n(CR9R10)o、(CR4R5)m(CR6R7)n(CR9R10)oO、(CR4R5)m(CR6R7)n(CR9R10)oNH、及び(CR4R5)m(CR6R7)n(CR9R10)oN(C1-6アルキル)から選択され;
R4からR7、R9、及びR10は、独立に、H、NH2、ハロ、NH(C1-6アルキル)、NH(OC1-6アルキル)、C1-14アルキル、C3-6シクロアルキル、アリール、アリールアルキル、ビアリール、ビアリールアルキル、又はヘテロアリールアルキルであり;且つ
R8は、H、NH(C1-6アルキル)、NH(OC1-6アルキル)、C1-14アルキル、C3-6シクロアルキル、アリール、アリールアルキル、ビアリール、ビアリールアルキル、又はヘテロアリールアルキルであるか;或いは
R4からR10のいずれか2つは、それらが結合する原子(複数可)と共に、少なくとも1つのO原子を含むか、又は1つのO原子並びにN及びSから独立に選択される追加のヘテロ原子を含み残りの原子が炭素である4〜7員の飽和又は不飽和の複素環を形成するか;或いは
i)R4とR5、ii)R6とR7、iii)R4とR6、iv)R9とR10、v)R6とR10、及びvi)R4とR9のいずれかは、それらが結合している原子と共に、C3-6シクロアルキレンを形成するか;或いは
R4からR10のいずれか2つは、それらが結合する原子(複数可)と共に、5〜7員の飽和又は不飽和の複素環であって、該環がN、O、及びSから選択される追加のヘテロ原子を任意に含み残りの原子が炭素である5〜7員の飽和又は不飽和の複素環を形成するか;或いは
R6とR8は、それらが結合している原子と共に、少なくとも1つのO原子を含む4〜6員の飽和複素環であって、該複素環がN、O、及びSから選択される追加のヘテロ原子を任意に含み残りの原子が炭素である4〜6員の飽和複素環を形成し;且つ
R11及びR12は、独立に、H、N(C1-6アルキル)、C1-14アルキル、C3-6シクロアルキル、アリール、アリールアルキル、ビアリール、ビアリールアルキル、又はヘテロアリールアルキルであるか;或いは
R11とR12は、それらが結合している2つの酸素原子と共に、2、3、又は4つの追加の原子が炭素である5〜7員飽和複素環を形成するか;或いは
i)R4とR11及びii)R6とR12のいずれか又は両方は、それらが結合している原子と共に、1つのO原子及び1つのP原子を含み残りの原子が炭素である5〜7員飽和複素環を形成し;
式中、m、n、o、及びpは、0、1、及び2から独立に選択され、且つ、Lが(CR4R5)m(CR6R7)n(CR9R10)oである場合、m+n+o≧1であり;且つ
[a]、[b]、及び[c]のそれぞれは、NH、N(C1-6アルキル)及びOから独立に選択され;
但し、[a]、[b]、及び[c]のそれぞれがNHであり、XがOであり、且つR3がCH2NH2である場合、R2が5-メチル-ヘプチルでないことを条件とする）。